(57)【特許請求の範囲】
【請求項１】
アナログオーディオ信号をサンプリングしサンプルデータを得るサンプリング手段と、
前記サンプリング手段から出力されたサンプルデータを圧縮する圧縮手段と、
前記圧縮手段により圧縮されたサンプルデータを記録媒体に記録する記録手段と、
前記サンプリング手段から出力されたサンプルデータを複数のサンプルデータ群に分割し、各サンプルデータ群のサンプルデータを異なる圧縮率で圧縮し、圧縮率に応じて各サンプルデータ群のサンプルデータを記録媒体の異なる領域または異なる記録媒体に記録するよう前記サンプリング手段、前記圧縮手段及び前記記録手段を制御する制御手段を備えることを特徴とするデジタル記録装置。
【請求項２】
請求項１に記載のデジタル記録装置において、
少なくとも記録媒体の１の領域または１の記録媒体に記録されたサンプルデータを読み出す読み出し手段と、
前記読み出し手段により読み出されたサンプルデータを伸張する伸張手段と、
前記伸張手段により伸張されたサンプルデータをアナログオーディオ信号に変換する変換手段を備えることを特徴とするデジタル記録装置。
【請求項３】
請求項２に記載のデジタル記録装置において、
前記伸張手段が伸張したサンプルデータを予め定められた伝送フォーマットに変換し出力する手段を備えることを特徴とするデジタル記録装置。
【発明の詳細な説明】
【０００１】
【発明の属する技術分野】
本発明は、信号を記録する記録装置に関する。
【０００２】
【従来の技術】
オーディオ信号をサンプリングしてデジタルデータに変換したのち、記録媒体に記録するデジタル記録装置においては、サンプリングする周波数又はサンプリングするサンプルデータの量子化ビット数によって記録媒体に記録するデータ量が異なる。記録媒体として、磁気テープと比べ１パッケージ当たりの記憶容量が少ないＩＣメモリ等の固体メモリを使用する場合には、録音可能な時間を長くするために、記録するサンプルデータを圧縮して記録する必要がある。
サンプルデータを圧縮する技術としては、ＡＤＰＣＭ（Ａｄａｐｔｉｖｅ  Ｄｅｆｅｒｅｎｃｅ  Ｐｕｌｓｅ  Ｃｏｄｅ  Ｍｏｄｕｌａｔｉｏｎ）方式やＭＰＥＧ（Ｍｏｖｉｎｇ  Ｐｉｃｔｕｒｅ  Ｅｘｐｅｒｔｓ  Ｇｒｏｕｐ）方式等が実用化されている。特に、ＭＰＥＧ方式の音声圧縮は少ないビット数で高音質のオーディオを再生することができるため、ＤＶＤに採用されている。
ＭＰＥＧ方式にはデータの圧縮率によって複数の圧縮モードがある。低圧縮率のモードでは高音質のオーディオを再生することはできるが、データ伝送経路におけるデータ転送速度が高いことを要求される。また、高圧縮率のモードでは音質は低下するが、サンプルデータを転送するデータ転送速度は低いくて済むという利点がある。
【０００３】
【発明が解決しようとする課題】
オーディオ信号を記録装置で録音する場合、生で録音取りをする機会が１回しかないとすると音質の良い録音モードで録音することになる。しかし、録音したデータを電話回線等の通信手段を使用して緊急で遠距離に伝送したいときに、通信速度の遅いアナログ電話回線を使用せざるを得ない場合には、データ伝送に長い時間がかかってしまう。
電話回線で伝送した音声データが、例えば、放送局のニュース原稿として使われるものであれば、音声データを文字原稿に変換する作業に支障がない程度の音質があれば充分である。
また、録音したサンプルデータを編集する場合に、低圧縮モードで録音した大量のサンプルデータを信号処理するために、高速で演算するＤＳＰ（Ｄｉｇｉｔａｌ  Ｓｉｇｎａｌ  Ｐｒｏｃｅｓｓｏｒ）を使用しなくてはならない。
【０００４】
本発明の目的は、上記課題を解決するため、高音質のオーディオを再生することが可能な高ビットレートでの記録を行いながら、さらに、低いデータ伝送速度の伝送経路でも使用できる低ビットレートの記録を同時に行えるデータ記録装置を得ることが目的である。
【０００５】
【課題を解決するための手段】
本願の請求項１記載の発明は、デジタル記録装置において、アナログオーディオ信号をサンプリングしサンプルデータを得るサンプリング手段と、前記サンプリング手段から出力されたサンプルデータを圧縮する圧縮手段と、前記圧縮手段により圧縮されたサンプルデータを記録媒体に記録する記録手段と、前記サンプリング手段から出力されたサンプルデータを複数のサンプルデータ群に分割し、各サンプルデータ群のサンプルデータを異なる圧縮率で圧縮し、圧縮率に応じて各サンプルデータ群のサンプルデータを記録媒体の異なる領域または異なる記録媒体に記録するよう前記サンプリング手段、前記圧縮手段及び前記記録手段を制御する制御手段を備えることを特徴とする。
本願の請求項２記載の発明は、請求項１に記載のデジタル記録装置において、少なくとも記録媒体の１の領域または１の記録媒体に記録されたサンプルデータを読み出す読み出し手段と、前記読み出し手段により読み出されたサンプルデータを伸張する伸張手段と、前記伸張手段により伸張されたサンプルデータをアナログオーディオ信号に変換する変換手段を備えることを特徴とする。
本願の請求項３記載の発明は、請求項２に記載のデジタル記録装置において、前記伸張手段が伸張したサンプルデータを予め定められた伝送フォーマットに変換し出力する手段を備えることを特徴とする。
【０００６】
【発明の実施の形態】
本発明の実施例について説明する。
図１は本発明の一実施例のＩＣメモリ録音再生装置の構成を示す構成図である。図１（ａ）は、２個のＩＣメモリカードを使用したＩＣメモリ録音再生装置を示し、図１（ｂ）は、１個のＩＣメモリカードの記録部を複数の記録領域に分割して記録するＩＣメモリ録音再生装置を示す構成図である。
【０００７】
オーディオ入力端子１０１ａは、インタビュー等でオーディオ信号を集音するマイクのマイク端子が挿入されるオーディオ信号の入力部である。
オーディオ出力端子１０１ｂは、再生したオーディオ信号を出力する端子である。
オーディオ出力端子１０１ｃは、再生したサンプルデータをデジタル信号で出力する出力端子である。
【０００８】
ＡＬＣ（Ａｕｔｏ  Ｌｅｖｅｌ  Ｃｏｎｔｒｏｌ）１０２は、オーディオ入力端子１０１ａから入力されるオーディオ信号のレベルを検出し、アナログデジタル変換器（Ａｎａｌｏｇ  ｔｏ  Ｄｉｇｉｔａｌ  Ｃｏｎｖｅｒｔｅｒ、（Ａ／Ｄ））１０３の入力レベルが飽和したレベルにならないようオーディオ信号のレベルを制御する。
【０００９】
Ａ／Ｄ１０３は、アナログのオーディオ信号をデジタルのサンプルデータに変換する。デジタルに変換されたサンプルデータは、デジタル信号処理器（ＤＳＰ）１０４に出力される。
【００１０】
ＤＳＰ１０４は、Ａ／Ｄ１０３から出力されたサンプルデータを圧縮する。
また、圧縮されたサンプルデータを伸張してでき足るデジタルアナログ変換器（Ｄｉｇｉｔａｌ  ｔｏ  Ａｎａｌｏｇ  Ｃｏｎｖｅｒｔｅｒ、（Ｄ／Ａ））１１０に出力する。
【００１１】
ＤＳＰ１０４で圧縮されたサンプルデータは、一旦バッファメモリ１０６に蓄えられ、記録再生制御部１０７を経由して記録媒体Ａ１０８ａ及び記録媒体Ｂ１０８ｂに記録される。
【００１２】
記録再生制御部１０７は、バッファメモリ１０６に蓄えられたサンプルデータを記録媒体Ａ１０８ａ及び記録媒体Ｂ１０８ｂに記録再生する制御を行う。
【００１３】
制御部１０５は、ＤＳＰ１０４がサンプルデータを圧縮するときの圧縮率の切り換え制御をし、さらに、記録再生制御部１０７の動作を制御する。
【００１４】
操作部１０９は、オーディオ信号の周波数帯域及びサンプルデータの圧縮率によって決まる記録ビットレートを設定する釦及び再生又は記録のモードを設定する釦等の設定釦や記録再生装置の動作を指定する操作釦を備える。
【００１５】
Ｄ／Ａ１１０は、ＤＳＰ１０４が出力するデジタルのサンプルデータをアナログのオーディオ信号に変換する。
【００１６】
デジタル出力部１１１は、ＤＳＰ１０４が出力するデジタルのサンプルデータを予め決められた伝送フォーマットに変換して出力する。
【００１７】
次に、本実施例のＩＣメモリ録音再生装置の動作について説明する。
図２は、本実施例のＩＣメモリ録音再生装置に入力するオーディオ信号を異なるビットレートのサンプルデータとしてＩＣメモリカードに記録する動作順序を説明する図である。
【００１８】
図２（ａ）は、Ａ／Ｄ１０３に入力するアナログのオーディオ信号をサンプリング周波数ｆｓでサンプリングしている状態を示す。図２において番号１、２、３、…ｎ、ｎ＋１はサンプル番号である。
【００１９】
サンプル番号１のサンプリングデータはＤ−１、サンプル番号２のサンプリングデータはＤ−２、サンプル番号３のサンプリングデータはＤ−３、サンプル番号ｎのサンプリングデータはＤ−ｎである。
【００２０】
サンプリング周波数ｆｓでサンプリングしたサンプルデータは、時系列の順番に並べると、図２（ｂ）に示すようになる。
【００２１】
ここで、制御部１０５は、奇数のサンプル番号のサンプルデータについては、低圧縮率で圧縮し、偶数のサンプル番号のサンプルデータについては、高圧縮率で圧縮するようＤＳＰ１０４の圧縮モードをサンプルデータ毎に切り換えるよう制御する。
【００２２】
ＤＳＰ１０４から出力されるサンプルデータは、図２（ｃ）で示す低圧縮率のサンプルデータ群（Ｄ−１、Ｄ−３、Ｄ−５、…Ｄ−ｎ、…）と高圧縮率のサンプルデータ群（Ｄ−２、Ｄ−４、Ｄ−６、…Ｄ−ｎ＋１、…）とが交互に出力される。
【００２３】
バッファメモリ１０６は、時系列の順に出力されたサンプルデータを一時的に記憶する。記録再生制御部１０７は、バッファメモリ１０６に記憶された二つのサンプルデータ群を分離して、記録媒体Ａ及び記録媒体Ｂにそれぞれ分けて記録する。
本実施例の場合では、低圧縮率のサンプルデータ群（Ｄ−１、Ｄ−３、Ｄ−５、…Ｄ−ｎ、…）を記録媒体Ａに記録し、高圧縮率のサンプルデータ群（Ｄ−２、Ｄ−４、Ｄ−６、…Ｄ−ｎ＋１、…）を記録媒体Ｂに記録する。
記録媒体Ａに記録記録されたサンプルデータの配列を図２（ｄ）に示す。また、記録媒体ｂに記録記録されたサンプルデータの配列を図２（ｅ）に示す。
【００２４】
次に、異なるビットレートで記録媒体に記録されたサンプルデータを再生する動作について説明する。
図３は、本実施例のＩＣメモリ録音再生装置のＩＣメモリカードに異なるビットレートで記録されたサンプルデータを読み出してオーディオ信号を再生する動作順序を説明する図である。
【００２５】
図３（ｅ）は、記録媒体Ｂに記録された高圧縮率のサンプルデータ群（Ｄ−２、Ｄ−４、Ｄ−６、…Ｄ−ｎ＋１、…）を示す図である。図３（ｄ）は、記録媒体Ａに記録された低圧縮率のサンプルデータ群（Ｄ−１、Ｄ−３、Ｄ−５、…Ｄ−ｎ、…）を示す図である。
【００２６】
記録再生制御部１０７は、操作部１０９に備えられた操作釦により設定された出力モード、例えば、高圧縮データを出力するモードに設定して再生開始すると、記録媒体Ｂに記録された高圧縮率のサンプルデータ群のサンプルデータを選択してバッファメモリ１０６に一時的に記憶する。
【００２７】
ＤＳＰ１０４は、バッファメモリ１０６のサンプルデータを読み出して伸張処理をする。
伸張処理されたサンプルデータは、Ｄ／Ａ１１０に入力されてアナログのオーディオ信号に変換され、オーディオ出力端子１０１ｂから外部に出力される。
また、ＤＳＰ１０４で伸張されたサンプルデータは、デジタル出力部１０１ｃにおいて予め決められた伝送フォーマットに変換され電話回線を経由し、低いビット転送速度で送信される。再生されるオーディオ信号のサンプルデータのサンプリング周波数はｆｓ／２である。
【００２８】
上述した実施例における出力モードは高圧縮モードのサンプルデータ群を選択するモードであったが、低圧縮モードのサンプルデータ群を選択する設定をした場合はについて説明する。
はじめに、制御部１０５は、操作部１０９に備えられたモード設定釦によって高圧縮モードで出力するよう設定されると、記録再生制御部１０７を制御して記録媒体Ａに記録された高圧縮率のサンプルデータ群のサンプルデータを選択し読み取り、読み取ったサンプルデータをバッファメモリ１０６に一時的に記憶するよう制御する。ＤＳＰ１０４はバッファメモリ１０６に記憶されたサンプルデータを入力して伸張処理した後、Ｄ／Ａ１１０又はデジタル出力部１０１ｃにサンプルデータを出力する。再生されるオーディオ信号のサンプルデータはサンプリング周波数はｆｓ／２である。
【００２９】
更に、操作部１０９に備えられたモード設定釦によって高圧縮モードの設定と低圧縮モードの設定を同時に行って出力するよう設定されると、制御部１０５は、記録媒体Ａ及び記録媒体Ｂの両方のサンプルデータを読み出し、内部発振器のクロックから生成したサンプリング周波数ｆｓのサンプリング周期（１／ｆｓ）毎に交互に伸張して図（ｂ）に示すようにサンプル番号の順序にサンプルデータを整列させてＤ／Ａ１１０又はデジタル出力部１０１ｃにサンプルデータを出力する。この場合は、再生されるオーディオ信号はサンプリング周波数はｆｓとなるので、広い周波数帯域をもったより高音質のオーディオとすることができる。
【００３０】
【発明の効果】
本発明によれば、サンプルデータを高ビットレートで記録媒体に記録していても、低ビットレートのデータ伝送路である電話回線であっても伝送可能なサンプルデータを出力することができる。
【図面の簡単な説明】
【図１】本発明の一実施例のＩＣメモリ録音再生装置の構成を示す構成図である。
【図２】本実施例のＩＣメモリ録音再生装置に入力するオーディオ信号を異なるビットレートのサンプルデータとしてＩＣメモリカードに記録する動作順序を説明する図である。
【図３】本実施例のＩＣメモリ録音再生装置のＩＣメモリカードに異なるビットレートで記録されたサンプルデータを読み出してオーディオ信号を再生する動作順序を説明する図である。
【符号の説明】
１０１ａ  オーディオ信号入力端子、  １０１ｂ  オーディオ信号出力端子、
１０１ｃ  デジタル出力端子、        １０２    ＡＬＣ、
１０３    Ａ／Ｄ                    １０４    ＤＳＰ、
１０５    制御部、                  １０６    バッファメモリ、
１０７    記録再生制御部、          １０８ａ  記録媒体Ａ、
１０８ａ  記録媒体Ｂ、              １０９    操作部、
１１０    Ｄ／Ａ、                  １１１    デジタル出力
【図１】
0003619408.tif 000002
【図２】
0003619408.tif 000003
【図３】
0003619408.tif 000004